(57)【要約】【課題】据付初期や落水により吸込配管内に空気が混入している場合でも安定した自吸性能を得ること。【解決手段】渦巻ポンプからの圧力水を供給するためにケーシングカバーに設けられた圧力口と、圧力口に近接するガイドベーン出口との間に分離板を備えた。【選択図】図３
2020112053.tif 000002
【特許請求の範囲】
【請求項１】
ケーシングと、ケーシングカバーと、ガイドベーンとを有し、ジェットポンプに圧力水を供給するケーシングカバー圧力口と、ケーシング内の空気を排気する吐出口とを備えるポンプ装置において、前記吐出口は上方向に位置し、ガイドベーンは複数のガイドベーン出口を有し、前記複数のガイドベーン出口のうち、前記ケーシングカバー圧力口と近くに位置するガイドベーン出口を近接ガイドベーン出口とし、前記ケーシングカバー圧力口と前記近接ガイドベーン出口との間に分離板を備えることを特徴とするポンプ装置。
【請求項２】
前記近接ガイドベーン出口は、前記圧力口よりも上方向に位置する。
【請求項３】
前記圧力口と前記近接ガイドベーン出口との間に開口部を有する。
【発明の詳細な説明】
【技術分野】
【０００１】
本発明はポンプ装置に関するものである。
【背景技術】
【０００２】
従来のポンプ装置として特許文献１に示すものがある。渦巻ポンプの吸込側に設けられるジェットポンプとの組合せから成るこの種のポンプは、運転中渦巻ポンプから吐出される圧力水の一部を常時ジェットポンプに供給している。また、この種のポンプを浅井戸用として使用する場合には、逆止弁を有するジェットポンプを渦巻ポンプの吸込側、すなわちポンプ装置の吸込側に直接接続し効果的に増圧作用を行うほか、自吸式ポンプとしても用いられ据付初期や落水により吸込配管内に空気が混入している状態でも揚水できる特徴がある。
【先行技術文献】
【特許文献】
【０００３】
【特許文献１】特開昭６０−１１１０８７号公報
【発明の概要】
【発明が解決しようとする課題】
【０００４】
前述の如く自吸式ポンプとしても用いられるため、据付初期や落水により吸込配管内に空気が混入している場合でも安定した自吸性能を有するポンプ装置が望まれている。
【０００５】
本発明は、安定した自吸性能を有するポンプ装置を提供することを目的とする。
【課題を解決するための手段】
【０００６】
課題を解決するために、渦巻ポンプからの圧力水を供給するためにケーシングカバーに設けられたジェットポンプへ圧力水を供給する圧力口と、圧力口に近接するガイドベーン出口との間に分離板を備えることで、羽根車の回転により吸上げられた吸込側の空気と呼び水とが混合された気水混合液が直接圧力口に流入し圧力水と一緒にジェットポンプに供給されるのを防ぐことを特徴とする。
【発明の効果】
【０００７】
本発明により、安定した自吸性能を有するポンプ装置を提供することができる。
【図面の簡単な説明】
【０００８】
【図１】本発明の一実施例に係るポンプ装置の縦断面図である。
【図２】本発明の一実施例に係り、外かくカバーを外したポンプ装置の斜視図である。
【図３】本発明の一実施例に係り、外かくカバーを外したポンプ装置の吸込み側にジェットポンプを直接接続した斜視図である。
【図４】本発明の一実施例に係り、ポンプ装置の吸込側にジェットポンプを直接接続した断面図である。
【図５】本発明の一実施例に係り、ケーシングカバーを取外した正面図である。
【図６】本発明の一実施例に係り、分離板取付け状態で正面から見た部分断面図である。
【図７】本発明の一実施例に係り、分離板取付け状態で平面（上方）から見た断面図である。
【図８】本発明の一実施例に係り、分離板取付け状態で側面（左側）から見た部分断面図である。
【図９】本発明の一実施例に係り、ケーシングカバーに分離板を形成した斜視図である。
【発明を実施するための形態】
【０００９】
以下、本発明の一実施例であるポンプ装置の構成概要を図１から図４を用いて説明する。
【００１０】
本実施例は、ケーシングカバー１４の圧力口７５と近接ガイドベーン出口１３ｂとの間に分離板３０を設けたことを特徴とする。
【００１１】
ポンプ装置１００は、空気式圧力タンク１と、この空気式圧力タンク１の上に配置されたポンプ駆動用モータ２と、ポンプ駆動用モータ２の回転速度を変速させる速度制御装置が搭載された制御基板３と、それらを覆う外かくカバー４とが備わる。
【００１２】
ポンプ部は、渦巻室を兼ねたケーシング１１に、ポンプ駆動用モータ２が構成され、ポンプ駆動用モータ２のシャフト２ａに羽根車１２が螺着される。羽根車１２の外周にはガイドベーン１３がねじ等でケーシング１１に固定される。
【００１３】
ケーシング１１の前面には、ケーシングカバー１４が備わりケーシング１１に蓋をする構成になる。ケーシングカバー１４には、揚水の吸込口となる吸込みフランジ１５と、ケーシング１１と吸込みフランジ１５とを水封する、フランジパッキン４０と羽根車１２とガイドベーン１３によって圧力が高められた揚水の一部を吸込み側（ジェットポンプ７０）に戻すための圧力フランジ１６が備わる。
【００１４】
ケーシング１１の上部にはねじ込み式の呼び水給水用栓１７が備わる。この呼び水給水用栓１７を外して呼び水を行う。
【００１５】
ポンプ装置１００は、電源を入れ、ポンプ装置１００が運転すると、揚水された水が吐出しフランジ５を介して吐出管から送り出され、吐出管につながる流路が閉じられると、吐出管から下流側の圧力が上がり、圧力センサー６が作動してポンプ駆動用モータ２が止まる。
【００１６】
図３は、浅井戸で使用する場合にジェットポンプ７０をポンプ装置の吸込側に直接接続したものである。この際、図２で前述した吸込みフランジ１５と、圧力フランジ１６は取外す。また、ジェットボディ７１には吸込配管を接続する接続部７２と、ポンプ停止時に汲み上げた水の逆流を防ぐための逆止弁７３が内蔵されている。
【００１７】
次に、浅井戸用として使用する場合に逆止弁を有するジェットポンプの吸込側に直接接続した際の増圧作用を図４、及び自吸作用について図５を用いて説明する。
【００１８】
ポンプ装置の吸込側に直接接続されるジェットポンプ７０は、図４に示すように羽根車１２とガイドベーン１３によって圧力が高められた揚水の一部（以下圧力水７４という）を、ケーシングカバー１４に設けられた圧力口７５から常時ジェットポンプ７０に供給している。ジェットポンプ７０に供給された圧力水７４はノズル７６から噴流水として高速噴射されベンチュリー７７に導かれる。このときノズル７６の周囲の圧力が下がるため水源側７８の水も一緒にベンチュリー７７の中へ吸上げられ増圧され吸込み側流路１５ａ内も高い圧力となる。
【００１９】
続いて自吸作用について図５を用いて説明する。
【００２０】
ポンプ据付初期には、呼び水給水用栓１７を外してケーシング１１内に呼び水を注入した後に、羽根車１２を回転させると、吸込側の空気と呼び水とが混合された気水混合液３２がガイドベーン出口１３ａ及び近接ガイドベーン出口１３ｂから排出される。排出された気水混合液３２はケーシング１１内で気水分離された後に空気はケーシング吐出部１１ａから排気される。
【００２１】
また、気水分離が完了しなかった一部の水はケーシング１１の下部に戻されケーシングカバー１４の圧力口７５を経てジェットポンプ７０へ供給される圧力水７４となり、再び自吸作用に用いられる。
【００２２】
この際、従来例のポンプ装置１００では複数のガイドベーン出口１３ａのほか、特に圧力口７５に近接した近接ガイドベーン出口１３ｂから排出された空気を多く含む気水混合液３２が圧力口７５に直接流入しジェットポンプ７０へ供給されるため自吸作用が低下する恐れがあった。
【００２３】
次に、本実施例について図6から図９を用いて説明する。
【００２４】
本実施例では、圧力口７５に近接する近接ガイドベーン出口１３ｂとの間に分離板３０を形成することにより、圧力口７５に近接する近接ガイドベーン出口１３ｂから排出された空気を多く含む気水混合液３２が圧力口７５に直接流入するのを防止でき従来例のポンプ装置に比べ自吸作用が向上する。
【００２５】
また、図７に示すように圧力口７５と近接する近接ガイドベーン出口１３ｂとには開口部３１を有し分離板３０に衝突し気水分離後された水が圧力口７５に流入できるようになっている。
【００２６】
なお、前述した分離板３０はケーシングカバー１４、ケーシング１１、ガイドベーン１３と一体でも、別体でもよい。また、図８及び図９では分離板３０をケーシングカバー１４側から突出させているがケーシング１１側から突出しても、さらにはケーシングカバー１４側とケーシング１１側両方から分割して突出させてもよい。
【００２７】
以上、空気式圧力タンク付のポンプ装置について詳述してきたが、アキュムレータ式の圧力タンク付のポンプ装置の他、圧力タンクの無い、いわゆる非自動式ポンプでも同様の効果が得られるのはもちろんである。  
【符号の説明】
【００２８】
１      空気式圧力タンク
２      ポンプ駆動用モータ
２ａ    シャフト
３      制御基板
４      外かくカバー
５      吐出しフランジ
５ａ    吐出し流路
６      圧力センサー
１１    ケーシング
１１ａ  ケーシング吐出口
１２    羽根車
１３    ガイドベーン
１３ａ  ガイドベーン出口
１３ｂ  近接ガイドベーン出口
１４    ケーシングカバー
１５    吸込みフランジ
１６    圧力フランジ
１７    呼び水給水用栓
３０    分離板
３１    開口部
３２    気水混合液
７０    ジェットポンプ
７１    ジェットボディ
７２    接続部
７３    逆止弁
７４    圧力水
７５    圧力口
７５ａ  増圧された水
７６    ノズル
７７    ベンチュリー
７８    吸込口
【図１】
2020112053.tif 000003
【図２】
2020112053.tif 000004
【図３】
2020112053.tif 000005
【図４】
2020112053.tif 000006
【図５】
2020112053.tif 000007
【図６】
2020112053.tif 000008
【図７】
2020112053.tif 000009
【図８】
2020112053.tif 000010
【図９】
2020112053.tif 000011